(57)【要約】【課題】所望音量よりも大音量で音声が出力され続ける事態を回避すると共に電力の浪費も回避し得る電源制御装置を提供する。【解決手段】予め規定された各時間帯毎の最大音量を記憶する記憶部と、電源装置による電源の供給を制御する制御部とを備え、制御部は、電源投入操作時、音量調整操作時、および各時間帯の到来時において音量確認処理５０を開始し、現在時刻に対応する時間帯の最大音量よりも音声出力装置からの音声の出力音量が大音量のときに（ステップ５３）、音量警告処理６０を開始してその旨を報知する報知処理を実行すると共に、報知処理の開始時点から所定時間を経過するまでの間において所定の操作が行われないときに、電源装置を制御して電源の供給を停止させる電源遮断処理を実行する。【選択図】図３
2007281569.tif 000002
【特許請求の範囲】
【請求項１】
予め規定された各時間帯毎の最大音量を記憶する記憶部と、電源装置による電源の供給
を制御する制御部とを備え、
前記制御部は、電源投入操作時、音量調整操作時、および前記各時間帯の到来時におい
て、現在時刻に対応する前記時間帯の前記最大音量よりも音声出力装置からの音声の出力
音量が大音量のときに、その旨を報知する報知処理を実行すると共に、当該報知処理の開
始時点から所定時間を経過するまでの間において所定の操作が行われないときに、前記電
源装置を制御して前記電源の供給を停止させる電源遮断処理を実行する電源制御装置。
【請求項２】
前記制御部は、前記出力音量を前記最大音量以下の音量とする前記音量調整操作が前記
所定時間内に行われたときに、前記所定の操作が行われたとして前記報知処理を終了する
と共に前記電源装置から前記電源を供給している状態を維持する請求項１記載の電源制御
装置。
【請求項３】
前記制御部は、前記所定時間内に前記音量調整操作が行われたときに、前記所定の操作
が行われたとして前記報知処理を終了すると共に前記電源装置から前記電源を供給してい
る状態を維持する請求項１記載の電源制御装置。
【請求項４】
前記制御部は、予め規定された解除キーが前記所定時間内に操作されたときに、前記所
定の操作が行われたとして前記報知処理を終了すると共に前記電源装置によって前記電源
を供給している状態を維持し、かつ、前記解除キーの操作時点における出力音量を現在時
刻に対応する前記時間帯の前記最大音量として前記記憶部に記憶させる請求項１から３の
いずれかに記載の電源制御装置。
【請求項５】
電源投入操作時、音量調整操作時、および予め規定された各時間帯の到来時において、
現在時刻に対応する時間帯に関連付けられて規定された最大音量よりも音声出力装置から
の音声の出力音量が大音量のときに、その旨を報知する報知処理を実行すると共に、当該
報知処理の開始時点から所定時間を経過するまでの間において所定の操作が行われないと
きに、電源装置を制御して電源の供給を停止させる電源制御方法。
【請求項６】
請求項１から４のいずれかに記載の電源制御装置と、前記電源装置と、前記音声出力装
置と、当該音声出力装置からの前記音声に対応する映像を表示する表示装置とを備えて構
成されているテレビ。
【発明の詳細な説明】
【技術分野】
【０００１】
本発明は、電源の供給を制御する電源制御装置および電源制御方法、並びに電源制御装
置を備えて構成されたテレビに関するものである。
【背景技術】
【０００２】
例えば、テレビ番組の視聴中に居眠りするなどして所定時間に亘ってキー操作が行われ
なかったときや、予め設定した電源遮断時刻が到来したときに、電源を自動的に遮断する
電源遮断機能を有するテレビが存在する。しかしながら、テレビ番組を大音量で視聴して
いる状態で居眠りしてしまった場合、キー操作が行われない状態で所定時間を経過するか
、または、設定時刻が到来するまでは、大音量で音声が出力され続けることとなる。この
ため、電源遮断機能を有するテレビであっても、周囲の者に不快感を与えることがある。
【０００３】
一方、特開２００２−３５４３７３号公報には、各時間帯毎の最大音量を予め設定して
おくことで、出力する音声の音量を現在時刻に応じて制限する構成のテレビジョン受像機
（以下、「テレビ」ともいう）が開示されている。このテレビでは、予め設定した最大音
量よりも大音量で音声を出力しようとしても、設定された最大音量よりも大音量の音声の
出力が音量制御手段によって規制される。したがって、例えば、深夜時間帯の最大音量を
十分に低音量に設定しておくことで、テレビ番組の視聴中に居眠りしてしまったとしても
、電源遮断機能によって電源が遮断されるまで最大音量よりも大音量で音声が出力され続
ける事態を回避することが可能となっている。
【特許文献１】特開２００２−３５４３７３号公報（第３−４頁、第１−４図）
【発明の開示】
【発明が解決しようとする課題】
【０００４】
ところが、従来のテレビには、以下の問題点がある。すなわち、従来のテレビでは、出
力音声の音量を現在時刻に応じて制限する構成が採用されている。このため、例えばテレ
ビ番組の視聴中に居眠りしてしまったとしても大音量で音声が出力され続ける事態を回避
することができるものの、電源制御装置によって自動的に電源が遮断されるまでは、音声
の出力およびテレビ映像の表示が継続して実行されることとなる。したがって、従来のテ
レビには、テレビ番組の視聴中に居眠りしてしまったときに、自動的に電源が遮断される
までの間に消費される電力が無駄になるという問題点がある。また、従来のテレビでは、
各時間帯毎の最大音量よりも大音量で音声を出力させる場合において、キー操作によって
設定画面を表示させて最大音量に関する設定値を変更する必要がある。このため、従来の
テレビには、大音量での音声の出力を希望する際の設定操作が煩雑であるという問題点が
ある。
【０００５】
本発明は、かかる問題点に鑑みてなされたものであり、所望音量よりも大音量で音声が
出力され続ける事態を回避すると共に電力の浪費も回避し得る電源制御装置、電源制御方
法およびテレビを提供することを主目的とする。
【課題を解決するための手段】
【０００６】
上記目的を達成すべく本発明に係る電源制御装置は、予め規定された各時間帯毎の最大
音量を記憶する記憶部と、電源装置による電源の供給を制御する制御部とを備え、前記制
御部は、電源投入操作時、音量調整操作時、および前記各時間帯の到来時において、現在
時刻に対応する前記時間帯の前記最大音量よりも音声出力装置からの音声の出力音量が大
音量のときに、その旨を報知する報知処理を実行すると共に、当該報知処理の開始時点か
ら所定時間を経過するまでの間において所定の操作が行われないときに、前記電源装置を
制御して前記電源の供給を停止させる電源遮断処理を実行する。なお、本発明における「
音声」には、人の声のみならず、鳥の鳴き声、風の音および音楽等の各種の「音」が含ま
れる。
【０００７】
また、本発明に係る電源制御方法は、電源投入操作時、音量調整操作時、および予め規
定された各時間帯の到来時において、現在時刻に対応する時間帯に関連付けられて規定さ
れた最大音量よりも音声出力装置からの音声の出力音量が大音量のときに、その旨を報知
する報知処理を実行すると共に、当該報知処理の開始時点から所定時間を経過するまでの
間において所定の操作が行われないときに、電源装置を制御して電源の供給を停止させる
。
【０００８】
また、本発明に係るテレビは、上記の電源制御装置と、前記電源装置と、前記音声出力
装置と、当該音声出力装置からの前記音声に対応する映像を表示する表示装置とを備えて
構成されている。
【０００９】
この電源制御装置および電源制御方法、並びにテレビによれば、電源投入操作時、音量
調整操作時、および各時間帯の到来時において、現在時刻に対応する時間帯の最大音量よ
りも音声出力装置からの音声の出力音量が大音量のときに、その旨を報知する報知処理を
実行すると共に、報知処理の開始時点から所定時間を経過するまでの間において所定の操
作が行われないときに、電源装置を制御して電源の供給を停止させることにより、各時間
帯毎に規定された最大音量よりも大きな音量で音声が出力される事態を回避するために音
量を制限する構成の従来のテレビとは異なり、大音量で音声を出力した状態で利用者が居
眠りしてしまったとしても、音声が大音量で出力されている旨を報知した後に所定の操作
が行われなかったときには、電源装置による電源の供給を自動的に停止して電源を遮断す
ることができる。したがって、所望音量よりも大音量で音声が出力され続ける事態を回避
することができると共に居眠りしたまま音声の出力が継続されることに起因する電力の浪
費を回避することができる。
【００１０】
また、本発明に係る電源制御装置は、前記出力音量を前記最大音量以下の音量とする前
記音量調整操作が前記所定時間内に行われたときに、前記制御部が、前記所定の操作が行
われたとして前記報知処理を終了すると共に前記電源装置から前記電源を供給している状
態を維持する。
【００１１】
この電源制御装置によれば、出力音量を最大音量以下の音量とする音量調整操作が所定
時間内に行われたときに、所定の操作が行われたとして報知処理を終了すると共に電源装
置から電源を供給している状態を維持することにより、煩雑な設定操作を行うことなく、
音声の出力を継続させることができる。
【００１２】
さらに、本発明に係る電源制御装置は、前記所定時間内に前記音量調整操作が行われた
ときに、前記制御部が、前記所定の操作が行われたとして前記報知処理を終了すると共に
前記電源装置から前記電源を供給している状態を維持する。
【００１３】
この電源制御装置によれば、所定時間内に音量調整操作が行われたときに、所定の操作
が行われたとして報知処理を終了すると共に電源装置から電源を供給している状態を維持
することにより、煩雑な操作を行うことなく、所望の音量で音声を出力させた状態を継続
することができる。
【００１４】
また、本発明に係る電源制御装置は、予め規定された解除キーが前記所定時間内に操作
されたときに、前記制御部が、前記所定の操作が行われたとして前記報知処理を終了する
と共に前記電源装置によって前記電源を供給している状態を維持し、かつ、前記解除キー
の操作時点における出力音量を現在時刻に対応する前記時間帯の前記最大音量として前記
記憶部に記憶させる。
【００１５】
この電源制御装置によれば、予め規定された解除キーが所定時間内に操作されたときに
、所定の操作が行われたとして報知処理を終了すると共に電源装置によって電源を供給し
ている状態を維持し、かつ、解除キーの操作時点における出力音量を現在時刻に対応する
時間帯の最大音量として記憶部に記憶させることにより、各時間帯毎の最大音量よりも大
音量で音声を出力させようとするときに、キー操作によって設定画面を表示させて最大音
量に関する設定値を変更する必要がある従来のテレビとは異なり、煩雑な操作を行うこと
なく、所望の音量で音声を出力させた状態を継続することができる。
【発明を実施するための最良の形態】
【００１６】
以下、本発明に係る電源制御装置、電源制御方法およびテレビの最良の形態について、
添付図面を参照して説明する。図１に示すテレビ１は、本発明に係る電源制御装置と、本
発明における電源装置、音声出力装置および表示装置とを一体的に構成した装置（本発明
に係るテレビ）の一例であって、テレビ映像等の表示および映像に対応する音声の出力が
可能に構成されている。このテレビ１は、リアプロジェクション型のテレビであって、本
体部２とテレビ１専用のリモコン３とを備えている。この場合、図２に示すように、リモ
コン３は、電源キー４１、チャンネルアップキー４２ａ、チャンネルダウンキー４２ｂ、
ボリュームアップキー４３ａ、ボリュームダウンキー４３ｂ、消音キー４４、メニューキ
ー４５、決定キー４６（本発明における解除キーの一例）および矢印キー４７などの各種
操作キーが配列されて構成されている。また、リモコン３は、上記の各種キーの操作に対
応して操作内容を特定可能な赤外線信号Ｓｉを出力する。
【００１７】
一方、図１に示すように、テレビ１の本体部２は、選局処理部１１、記憶部１２、チュ
ーナ１３、映像音声処理部１４、音声出力部１５、スピーカ１６、映像出力部１７、表示
部１８、音量制御部１９、記憶部２０、制御部２１、操作部２２、受光部２３、キー入力
処理部２４および電源部２５を備えている。選局処理部１１は、制御部２１の制御に従っ
てチューナ１３を制御することにより、指定されたチャンネルを受信させて放送信号Ｓｂ
を出力させる。記憶部１２は、電源遮断時に表示しているチャンネルについてのチャンネ
ル情報（次回の電源投入時に表示すべきチャンネルについての情報）などを記憶する。チ
ューナ１３は、選局処理部１１の制御に従い、指定されたチャンネルの放送信号Ｓｂを映
像音声処理部１４に出力する。映像音声処理部１４は、一例としてＩＦ回路、音声検波回
路、映像検波回路およびＡ／Ｄ変換部（いずれも図示せず）などを備え、チューナ１３か
ら出力された放送信号Ｓｂに基づく音声信号Ｓｓ１および映像信号Ｓｐ１を音声出力部１
５および映像出力部１７に出力する。
【００１８】
音声出力部１５は、スピーカ１６と相俟って本発明における音声出力装置を構成し、映
像音声処理部１４から出力された音声信号Ｓｓ１を音量制御部１９の制御に従って増幅し
て音声信号Ｓｓ２としてスピーカ１６に出力する。スピーカ１６は、音声出力部１５から
出力された音声信号Ｓｓ２の信号レベルに応じた出力音量で音声信号Ｓｓ２に対応する音
声を出力する。映像出力部１７は、表示部１８と相俟って本発明における表示装置を構成
し、映像音声処理部１４から出力された映像信号Ｓｐ１に対する映像処理を実行して表示
用の映像信号Ｓｐ２を生成して表示部１８に出力する。表示部１８は、光学エンジンおよ
びスクリーンパネル等（図示せず）を備え、映像出力部１７から出力された映像信号Ｓｐ
２に基づく各種画像を表示する。具体的には、表示部１８は、出力された映像信号Ｓｐ２
に基づいて光変調した投射光をスクリーンパネルに背面側から投射することで各種画像を
スクリーンパネルに表示する。この場合、上記の光学エンジンは、例えば、光源と、光変
調素子（一例として、デジタルマイクロミラーデバイスや液晶ライトバルブ）と、投射レ
ンズ（いずれも図示せず）とを備えて構成されている。
【００１９】
音量制御部１９は、制御部２１の制御に従って音声出力部１５を制御することにより、
スピーカ１６から出力する音声の音量等を制御する。また、音量制御部１９は、本発明に
おける「予め規定された時間帯」が到来した旨を特定するためのタイマ１９ａと、図示し
ない内部時計とを備えている。記憶部２０は、音量データＤｖを記憶する。この場合、音
量データＤｖは、本発明における「予め規定された各時間帯毎の最大音量」に相当し、各
時間帯に関連付けて設定された各時間帯毎の最大音量を特定可能に構成されている。具体
的には、一例として、７：００から１７：５９までの時間帯の最大音量が４０段階の音量
のうちの２５段階目の音量で、１８：００から２１：５９までの時間帯の最大音量が４０
段階の音量のうちの２０段階目の音量で、２２：００から翌朝の６：５９までの時間帯の
最大音量が４０段階の音量のうちの１８段階目の音量である旨が音量データＤｖとして設
定されている。なお、各時間帯の先頭時刻や、各時間帯毎の最大音量については、図６に
示す最大音量設定画面９０を表示部１８に表示させて数値入力することにより、任意に設
定（変更）することができる。
【００２０】
制御部２１は、音量制御部１９と相俟って本発明における制御部を構成し、テレビ１を
総括的に制御する。具体的には、制御部２１は、リモコン３や操作部２２の各キー操作に
応じてキー入力処理部２４から出力される制御信号Ｓｃに従い、後述するように、図３，
４に示す音量確認処理５０，５５を実行する。また、制御部２１は、選局処理部１１を制
御して指定されたチャンネルを受信させると共に、映像音声処理部１４を制御して音声信
号Ｓｓ１および映像信号Ｓｐ１を生成させる処理を実行する。さらに、制御部２１は、本
発明における「所定時間」を計時するためのタイマ２１ａを備えている。操作部２２は、
図２に示すように、電源キー３１、チャンネルアップキー３２ａ、チャンネルダウンキー
３２ｂ、ボリュームアップキー３３ａ、ボリュームダウンキー３３ｂおよび消音キー３４
を備え、これらの操作に対応する操作信号Ｓｏをキー入力処理部２４に出力する。受光部
２３は、上記のリモコン３から出力される赤外線信号Ｓｉを受信して操作信号Ｓｏに変換
してキー入力処理部２４に出力する。キー入力処理部２４は、操作部２２および受光部２
３から出力された操作信号Ｓｏに基づいて制御信号Ｓｃを生成し、生成した制御信号Ｓｃ
を制御部２１に出力する。電源部２５は、本発明における電源装置に相当し、制御部２１
の制御に従い、テレビ１における本体部２内の各部に電源を供給する。
【００２１】
次に、テレビ１の全体的な動作について、図面を参照して説明する。このテレビ１では
、リモコン３または操作部２２の電源キー３１，４１が操作された際に、チューナ１３が
選局処理部１１の制御に従って直前の電源遮断時に選局されていたチャンネル（記憶部１
２に記憶されているチャンネル情報に対応するチャンネル）を受信して映像音声処理部１
４に放送信号Ｓｂを出力する。これに応じて、映像音声処理部１４が、放送信号Ｓｂに基
づく音声信号Ｓｓ１を音声出力部１５に出力すると共に映像信号Ｓｐ１を映像出力部１７
に出力する。この際に、音声出力部１５は、音量制御部１９の制御に従い、映像音声処理
部１４から出力された音声信号Ｓｓ１を所定の出力音量となるように増幅して音声信号Ｓ
ｓ２としてスピーカ１６に出力する。また、映像出力部１７は、映像音声処理部１４から
出力された映像信号Ｓｐ１に基づいて表示用の映像信号Ｓｐ２を生成して表示部１８に出
力する。これにより、図２に示すように、テレビ映像Ｐｔが表示部１８のスクリーンパネ
ルに表示されると共に、テレビ映像Ｐｔに対応する音声が所定の出力音量でスピーカ１６
から出力される。
【００２２】
また、制御部２１は、電源キー３１，４１の操作時点（本発明における電源投入操作が
行われた時点）において、図３に示す音量確認処理５０を開始する。この音量確認処理５
０では、制御部２１が、音量制御部１９を制御して現在時刻を取得させると共に、記憶部
２０に記憶されている音量データＤｖに基づき、取得した現在時刻に対応する時間帯に関
連付けられている最大音量を特定させる。この際に、図７に示すように、電源キー３１，
４１の操作時点における現在時刻が１６：１２のときには、音量制御部１９は、音量デー
タＤｖに基づき、７：００から１７：５９までの時間帯の最大音量として設定されている
２５段階目の音量が現在時刻において許容される最大音量であると特定する（ステップ５
１）。次いで、音量制御部１９が、制御部２１の制御に従い、タイマ１９ａをリセットし
て、現在時刻に対応する時間帯（この例では、７：００から１７：５９までの時間帯）の
次の時間帯の先頭時刻（この例では、１８：００から１１：５９までの時間帯の先頭時刻
である１８：００）にタイマ１９ａをセットして計時を開始させる（ステップ５２）。
【００２３】
続いて、制御部２１は、音量制御部１９を制御して、スピーカ１６から出力している音
声の音量（現在の音量）が現在時刻において許容される最大音量よりも大音量であるか否
かを判別する（ステップ５３）。この際に、電源キー３１，４１の操作時点における音量
が例えば２４段階目の音量のときには、音量制御部１９は、現在の音量が最大音量よりも
低音量であると判別し、この音量確認処理５０を終了して、テレビ映像Ｐｔの表示および
音声の出力を継続させる（通常視聴モードでの動作）。なお、図７および後に参照する図
８〜１２では、本発明についての理解を容易とするために、各表示画面の表示時点におけ
る現在時刻と、その時点における音量とを表示部１８に表示させているが、これらの表示
については、所定のキー操作によって非表示にさせることができる。
【００２４】
一方、電源キー３１，４１の操作時点における音量が例えば２８段階目の音量のときに
は、音量制御部１９は、現在の音量が最大音量よりも大音量であると判別し（ステップ５
３）、図５に示す音量警告処理６０を開始してこの音量確認処理５０を終了する。この音
量警告処理６０では、制御部２１は、映像音声処理部１４を制御することにより、図８に
示すように、音量警告画面９１をテレビ映像Ｐｔに重ねて表示部１８に表示させる（本発
明における報知処理の一例：ステップ６１）。この場合、音量警告画面９１は、本発明に
おける「最大音量よりも出力音量が大音量である旨の報知」の一例であって、同図に示す
ように、「設定音量よりも大音量です。このまま視聴する場合には、決定キーを操作して
下さい。」との文字情報が表示される。なお、本発明における報知処理時の報知方法は、
上記のような文字情報の表示に限定されず、音量警告用の記号または図柄の表示や、警告
音または音声メッセージ等の音声情報の出力がこれに含まれる。次いで、制御部２１は、
タイマ２１ａをリセットして、本発明における所定時間（一例として、５分）についての
計時を開始させる（ステップ６２）。
【００２５】
この際に、テレビ番組の視聴の継続を希望するときには、音量警告画面９１のメッセー
ジに従い、リモコン３の決定キー４６を操作する。これに応じて、リモコン３から決定キ
ー４６の操作に応じた赤外線信号Ｓｉが出力されると共に、この赤外線信号Ｓｉを受信し
た受光部２３から操作信号Ｓｏがキー入力処理部２４に出力され、キー入力処理部２４か
ら制御信号Ｓｃが制御部２１に出力される。一方、制御信号Ｓｃを受信した制御部２１は
、利用者によって操作キーが操作されたと判別し（ステップ６３）、その操作キーが決定
キー４６であると判別する（本発明における「所定の操作が行われた」との状態の一例：
ステップ６４）。
【００２６】
この際に、制御部２１は、音量制御部１９を制御して、決定キー４６の操作時点におい
てスピーカ１６から出力している音声の音量（この例では、２８段階目の音量）を現在時
刻に対応する時間帯（この例では、７：００から１７：５９までの時間帯）の最大音量と
するように音量データＤｖを一時的に書き換えさせる（ステップ６５）。なお、この際に
書き換えた音量データＤｖは、電源の再投入時において、前述した最大音量設定画面９０
（図６参照）を表示させて設定した値に自動的に復元される。次いで、制御部２１は、図
９に示すように、テレビ映像Ｐｔに重ねて表示させている音量警告画面９１を消去した後
に（ステップ６６）、この音量警告処理６０を終了する。
【００２７】
これに対して、音量警告画面９１を見た利用者が、例えばリモコン３のボリュームダウ
ンキー４３ｂを操作したときには（本発明における音量調整操作の一例）、キー入力処理
部２４から出力された制御信号Ｓｃを受信した制御部２１が、利用者によって操作キーが
操作されたと判別し（ステップ６３）、その操作キーが決定キー４６ではなく（ステップ
６４）、ボリュームダウンキー４３ｂである（音量調整操作である）と判別する（ステッ
プ６７）。この際に、制御部２１は、音量制御部１９を制御して、スピーカ１６から出力
している音声の音量（この例では、２８段階目の音量）を一段階だけ低下させる（音量の
変更：ステップ６８）。また、制御部２１は、音量制御部１９を制御して、ボリュームダ
ウンキー４３ｂの操作時点における音声の音量が現在時刻において許容される最大音量（
この例では、２５段階目の音量）よりも大音量であるか否かを判別させると共に（ステッ
プ６９）、大音量であると判別されたときには、キー操作が再び行われたか否かを監視す
る（ステップ６３）。
【００２８】
この際に、利用者が複数回に亘ってボリュームダウンキー４３ｂを操作したときには、
制御部２１は、決定キー４６ではなく、ボリュームダウンキー４３ｂが操作されたと判別
して（ステップ６３，６４，６７）、ボリュームダウンキー４３ｂの操作回数分だけ音量
を低下させる（ステップ６８）。また、音量制御部１９によって、ボリュームダウンキー
４３ｂの操作時点における音声の音量が現在時刻において許容される最大音量（この例で
は、２５段階目の音量）よりも大音量ではないと判別されたときには（本発明における「
所定の操作が行われた」との状態の他の一例：ステップ６９）、制御部２１は、図１０に
示すように、テレビ映像Ｐｔに重ねて表示させている音量警告画面９１を消去した後に（
ステップ６６）、この音量警告処理６０を終了する。なお、音量警告画面９１を表示させ
た後に、決定キー４６、ボリュームアップキー３３ａ，４３ａおよびボリュームダウンキ
ー３３ｂ，４３ｂの５つの操作キーとは異なる操作キーが操作されたときには、制御部２
１は、音量調整操作ではないと判別し（ステップ６７）、操作されたキーに対応する各種
の処理を実行した後に（ステップ７０）、キー操作が再び行われたか否かを監視する（ス
テップ６３）。
【００２９】
一方、例えば、テレビ番組の視聴中に利用者が居眠りするなどして、音量警告画面９１
が表示部１８に表示された後にいずれの操作キーも操作されなかったときには、制御部２
１は、キー操作がなかったと判別し（ステップ６３）、所定時間（この例では、５分）を
経過したか否かを判別する（ステップ７１）。この際に、タイマ２１ａによる計時結果に
基づき、所定時間（この例では、５分）を経過したと判別したときには、制御部２１は、
電源部２５を制御して本体部２の各部に対する電源の供給を停止させる（電源遮断処理８
０）。この結果、利用者の居眠りに起因してテレビ映像Ｐｔの表示および音声の出力が継
続して実行される事態が回避されて、テレビ１の電源が確実に遮断される。
【００３０】
また、このテレビ１では、例えば、上記のようにして音量警告画面９１が表示された状
態において許容されている最大音量以下の音量となるように利用者によってボリュームダ
ウンキー４３ｂ等が操作されたときには、制御部２１は、音量制御部１９を制御して、最
大音量についての設定が相違する次の時間帯の到来を監視させる。具体的には、音量制御
部１９は、一例として、２５段階目の音量で音声を出力させた状態でテレビ映像Ｐｔの表
示を継続させた状態において、タイマ１９ａの計時結果に基づき、１８：００になったと
判別したときは（次の時間帯が到来した時点の一例）、その旨を制御部２１に報知する。
これに応じて、制御部２１は、前述した音量確認処理５０を開始する。
【００３１】
この際に、制御部２１は、音量制御部１９を制御して現在時刻を取得させると共に、記
憶部２０に記憶されている音量データＤｖに基づき、取得した現在時刻に対応する時間帯
に関連付けられている最大音量（この例では、２０段階目の音量）を特定させる（ステッ
プ５１）。次いで、音量制御部１９が、制御部２１の制御に従い、タイマ１９ａをリセッ
トして、現在時刻に対応する時間帯（この例では、１８：００から２１：５９までの時間
帯）の次の時間帯の先頭時刻（この例では、２２：００から０６：５９までの時間帯の先
頭時刻である２２：００）にタイマ１９ａをセットして計時を開始させる（ステップ５２
）。続いて、制御部２１は、音量制御部１９を制御して、現在の音量が現在時刻において
許容される最大音量よりも大音量であるか否かを判別させる（ステップ５３）。この際に
は、現在の音量が最大音量よりも大音量であるため、制御部２１は、前述した音量警告処
理６０を開始して、図１１に示すように、音量警告画面９１をテレビ映像Ｐｔに重ねて表
示部１８に表示させる（ステップ６１）。この際に、利用者が居眠りするなどして所定時
間内（５分以内）にキー操作が行われなかったときには（ステップ７１）、制御部２１は
、電源部２５を制御して本体部２の各部に対する電源の供給を停止させる（電源遮断処理
８０）。
【００３２】
また、音量警告画面９１のメッセージを見た利用者が例えば決定キー４６を操作したと
きには、前述したように、音量警告画面９１が消去されてテレビ映像Ｐｔの表示および音
声の出力が継続して実行される。さらに、メッセージを見た利用者がボリュームダウンキ
ー４３ｂを複数回操作して例えば２０段階目の音量以下（一例として、２０段階目の音量
）まで音量を低下させたときには、図１２に示すように、音量警告画面９１が消去されて
テレビ映像Ｐｔの表示および音声の出力が継続して実行される。
【００３３】
また、テレビ映像Ｐｔの表示および音声の出力を継続させている状態においてボリュー
ムアップキー３３ａ，４３ａおよびボリュームダウンキー３３ｂ，４３ｂの４つのキーの
うちのいずれかが操作されたときには（本発明における音量調整操作の一例）、制御部２
１は、図４に示す音量確認処理５５を開始する。この音量確認処理５５では、制御部２１
は、音量制御部１９を制御して、スピーカ１６から出力している音声の音量（現在の音量
）が現在時刻において許容される最大音量（この例では、２０段階目の音量）よりも大音
量であるか否かを判別する（ステップ５６）。この際に、例えば２０段階目の音量で音声
を出力している状態において、ボリュームダウンキー４３ｂが操作された場合には現在の
音量が１９段階目の音量となるため、制御部２１は、現在の音量が許容されている最大音
量よりも低音量であると判別して、この音量確認処理５５を終了する。一方、例えばボリ
ュームアップキー４３ａが操作された場合には現在の音量が２１段階目の音量となるため
、制御部２１は、現在の音量が許容されている最大音量よりも大音量であると判別して（
ステップ５６）、前述した音量警告処理６０を開始する。
【００３４】
この際に、制御部２１は、図１３に示すように、音量警告画面９１をテレビ映像Ｐｔに
重ねて表示部１８に表示させる（ステップ６１）。この際に、利用者が居眠りするなどし
て所定時間内（５分以内）にキー操作が行われなかったときには（ステップ７１）、制御
部２１は、電源部２５を制御して本体部２の各部に対する電源の供給を停止させる（電源
遮断処理８０）。また、音量警告画面９１のメッセージを見た利用者が例えば決定キー４
６を操作したときには、前述したように、音量警告画面９１が消去されてテレビ映像Ｐｔ
の表示および音声の出力が継続して実行される。さらに、メッセージを見た利用者がボリ
ュームダウンキー４３ｂを操作して２０段階目の音量以下まで音量を低下させたときには
、図１２に示すように、音量警告画面９１が消去されてテレビ映像Ｐｔの表示および音声
の出力が継続して実行される。
【００３５】
このように、このテレビ１（制御部２１および音量制御部１９）並びに、テレビ１にお
ける電源制御方法によれば、電源投入操作時、音量調整操作時、および各時間帯の到来時
において、現在時刻に対応する時間帯の最大音量よりも音声出力装置（スピーカ１６）か
らの音声の出力音量が大音量のときに、その旨を報知する報知処理を実行する（音量警告
画面９１を表示部１８に表示させる）と共に、報知処理の開始時点から所定時間（この例
では、５分）が経過するまでの間において本発明における所定の操作が行われなかったと
きに、電源部２５を制御して本体部２の各部に対する電源の供給を停止させることにより
、各時間帯毎に規定された最大音量よりも大きな音量で音声が出力される事態を回避する
ために音量を制限する構成の従来のテレビとは異なり、大音量で音声を出力した状態で利
用者が居眠りしてしまったとしても、音量警告画面９１を表示させた後に所定のキー操作
が行われなかったときには、電源部２５による電源の供給を自動的に停止してテレビ１の
電源を遮断することができる。したがって、所望音量よりも大音量でスピーカ１６から音
声が出力され続ける事態を回避することができると共に居眠りしたままテレビ映像Ｐｔの
表示や音声の出力が継続されることに起因する電力の浪費を回避することができる。
【００３６】
また、このテレビ１によれば、出力音量を最大音量以下の音量とする音量調整操作（ボ
リュームダウンキー３３ｂ，４３の操作）が所定時間内に行われたときに、本発明におけ
る所定の操作が行われたとして報知処理を終了する（音量警告画面９１を消去する）と共
に電源遮断処理８０を実行することなく電源部２５から本体部２の各部に電源を供給して
いる状態を維持することにより、煩雑な設定操作を行うことなく、テレビ映像Ｐｔの表示
や音声の出力を継続させることができる。
【００３７】
さらに、このテレビ１によれば、予め規定された解除キー（この例では、決定キー４６
）が所定時間内に操作されたときに、本発明における所定の操作が行われたとして報知処
理を終了する（音量警告画面９１を消去する）と共に電源遮断処理８０を実行することな
く電源部２５によって本体部２の各部に電源を供給している状態を維持し、かつ、解除キ
ーの操作時点における出力音量を現在時刻に対応する時間帯の最大音量とする音量データ
Ｄｖを記憶部２０に記憶させることにより、各時間帯毎の最大音量よりも大音量で音声を
出力させようとするときに、キー操作によって設定画面を表示させて最大音量に関する設
定値を変更する必要がある従来のテレビとは異なり、煩雑なキー操作を行うことなく、所
望の音量で音声を出力させてテレビ番組の視聴を継続することができる。
【００３８】
なお、本発明は、上記の構成に限定されない。例えば、上記のテレビ１では、音量警告
処理６０において、音量調整処理の結果（ボリュームダウンキー３３ｂ，４３ｂの操作の
結果）、現在の音量が許容されている最大音量よりも大音量ではないと判別されたときに
（ステップ６９）、本発明における所定の操作が行われたとして音量警告画面９１を消去
させる（報知処理を終了する）構成（ステップ６６）が採用されているが、本発明はこれ
に限定されない。一例として、音量警告画面９１を表示させた後に、所定時間内（一例と
して、５分以内）にボリュームアップキー３３ａ，４３ａおよびボリュームダウンキー３
３ｂ，４３ｂのいずれかが操作された時点（音量調整操作が行われた時点）において、現
在音量が許容されている最大音量よりも大音量であったとしても、音量警告画面９１を消
去させる（報知処理を終了する）構成を採用することができる。
【００３９】
上記のように、所定時間内に音量調整操作が行われたときに、本発明における所定の操
作が行われたとして本発明における報知処理を終了する（この例では、音量警告画面９１
を消去する）と共に電源遮断処理８０を実行することなく電源部２５から本体部２の各部
に電源を供給した状態を維持することにより、煩雑なキー操作を行うことなく、所望の音
量で音声を出力させてテレビ番組の視聴を継続することができる。
【００４０】
また、音量調整操作が行われたときに本発明における所定の操作が行われたと判別する
例について説明したが、音量調整用の操作キー以外の各種操作キー（一例として、チャン
ネルアップキー３２ａ，４２ａやチャンネルダウンキー３２ｂ，４２ｂ）が操作されたと
きにも本発明における所定の操作が行われたと判別する構成を採用することができる。こ
の構成を採用した場合においても、利用者が居眠りしていないとき（テレビ番組を視聴し
ているとき）には、チャンネルアップキー３２ａ，４２ａ等を操作することで、電源部２
５から本体部２の各部に電源を供給している状態を維持させ、テレビ映像Ｐｔの表示や音
声の出力を継続させることができる。
【００４１】
さらに、リアプロジェクション型のテレビについて上記したが、液晶表示器、プラズマ
表示器および有機ＥＬ表示器等の各種表示器を備えたテレビに本発明を適用することがで
きる。この場合、本発明におけるテレビとしては、表示器とチューナとが別体に構成され
た各種テレビが含まれる。また、モニター（チューナを備えていない表示装置）に本発明
を適用することもできる。加えて、本発明に係る電源制御装置は、上記のようなテレビ１
に限定されず、各種の音響機器や、再生装置などの機器に搭載することができる。
【図面の簡単な説明】
【００４２】
【図１】テレビ１の構成を示すブロック図である。
【図２】テレビ１およびリモコン３の正面図である。
【図３】音量確認処理５０のフローチャートである。
【図４】音量確認処理５５のフローチャートである。
【図５】音量警告処理６０のフローチャートである。
【図６】最大音量設定画面９０を表示させた状態の表示画面図である。
【図７】テレビ映像Ｐｔを表示させた状態の表示画面図である。
【図８】音量警告画面９１を表示させた状態の表示画面図である。
【図９】テレビ映像Ｐｔを表示させた状態の他の表示画面図である。
【図１０】テレビ映像Ｐｔを表示させた状態さらに他の表示画面図である。
【図１１】音量警告画面９１を表示させた状態の他の表示画面図である。
【図１２】テレビ映像Ｐｔを表示させた状態のさらに他の表示画面図である。
【図１３】音量警告画面９１を表示させた状態のさらに他の表示画面図である。
【符号の説明】
【００４３】
１  テレビ、２  本体部、３  リモコン、１５  音声出力部、１６  スピーカ、１７  
映像出力部、１８  表示部、１９  音量制御部、１９ａ，２１ａ  タイマ、２０  記憶部
、２１  制御部、２２  操作部、２３  受光部、２４  キー入力処理部、２５  電源部、
３１，４１  電源キー、３３ａ，４３ａ  ボリュームアップキー、３３ｂ，４３ｂ  ボリ
ュームダウンキー、３４，４４  消音キー、４６  決定キー、５０，５５  音量確認処理
、６０  音量警告処理、８０  電源遮断処理、９１  音量警告画面、Ｄｖ  音量データ、
Ｐｔ  テレビ映像、Ｓｃ，Ｓｄ  制御信号、Ｓｅ  制御信号、Ｓｉ  赤外線信号、Ｓｏ  
操作信号、Ｓｓ１，Ｓｓ２  音声信号
【図１】
2007281569.tif 000003
【図２】
2007281569.tif 000004
【図３】
2007281569.tif 000005
【図４】
2007281569.tif 000006
【図５】
2007281569.tif 000007
【図６】
2007281569.tif 000008
【図７】
2007281569.tif 000009
【図８】
2007281569.tif 000010
【図９】
2007281569.tif 000011
【図１０】
2007281569.tif 000012
【図１１】
2007281569.tif 000013
【図１２】
2007281569.tif 000014
【図１３】
2007281569.tif 000015